(57)【特許請求の範囲】
【請求項１】
外端部にダイヤルが固設されたダイヤル軸を設けて、該ダイヤル軸を表板に貫挿すると共に該ダイヤル軸の内端部に外形が非円形状又は非同心状に係合片を固着してなる錠本体と、該係合片と相対する位置に該係合片を通過させ得る係合孔が貫通状に形成された受部材と、を具備し、該受部材の係合孔に前記錠本体の係合片を貫通させ前記ダイヤル軸を回転することにより該係合片が該受部材内に係合し施錠されるようにし、また前記係合片上に弾発性を有し上方へ弾性付勢される弾性突起体を設けると共に前記受部材に前記弾性突起体の頭部が挿入され得る凹所と前記錠本体から該凹所へ貫通する小孔とを具備する係止手段を設けて、錠本体側から細径のピンで該小孔を通って凹所内に在る弾性突起体を弾性付勢に抗して下降させ得るようにしたことを特徴とするダイヤル錠。
【発明の詳細な説明】
【技術分野】
【０００１】
本発明は、ダイヤルを回転操作をすることにより開錠及び施錠ができるダイヤル錠に関する。
【背景技術】
【０００２】
ダイヤル錠は、周知のようにダイヤルを回転操作し予め決められた数字や符号に目盛を合わせることにより開錠可能となるものであるので、特定の鍵を所持していなくても開錠でき、鍵を紛失するおそれがないなどの利便性がある。このため従来から住宅等の建物の扉,引き戸、さらに旅行用鞄等のかばん類や貴重品ケース等の施錠用に多々使用されてきた(例えば特許文献１〜３参照。)。
【０００３】
【特許文献１】特開昭６０−２０８５７３号公報
【特許文献２】特開昭５５−４２９９９号公報
【特許文献３】特開昭６１−２８６８２号公報
【０００４】
上記特許文献１〜３に示された錠前はいずれもこのようなダイヤル錠の一種で、特許文献１はダイヤルをボタン操作により回転操作し符号が合わせられるようにしたもの、特許文献２は複数のダイヤルリングが同軸状に配置されその中心に錠止部材が貫挿されたもの、特許文献３は複数のダイヤルリングを互いにスリーブ部を嵌合することで回転自在に設けてなるダイヤル錠を開示するものである。
【発明の開示】
【発明が解決しようとする課題】
【０００５】
ところで上記特許文献１に開示されたダイヤル錠は、ダイヤル目盛をボタン操作により回転できることで符号合わせ操作が容易にできるようにしたものであるが、操作ボタンと、該ボタン操作により回転する部分切欠状のドライブホイルと、該切欠中に係脱するスライダーとを別部品として形成することを要するものであったので、多くの構成部品を要し複雑な構成となり製造コストが高くなるものであった。
【０００６】
また、特許文献２及び特許文献３に示されたダイヤル錠は、外周面に符号が刻設された複数のダイヤルリングを同軸上に隣接させて配置した構成のものであるので、隣り合うダイヤルリング間の間隔が狭く、符号合わせ時にダイヤルリングを回転させる指先に負荷が掛かると共に、操作時に符号が指先で隠れるので操作し難いなどの問題があった。
【０００７】
また、ハンドバッグ等のかばん類,袋物や宝石箱等の収納箱類などにおいては、本体の取付部がそもそも小さいことから、ダイヤル軸方向の取り付けスペースに制限がありむやみにダイヤル軸を長くすることが不可能であった。
さらに、建物の引き戸,扉には従来、一般にシリンダー錠が使用されていたが、シリンダー錠を設けた住宅ではその鍵穴から針金等を差し込み、内部のロック片を動かし不正に開錠する、いわゆるピッキングによる被害が多発していることは周知のとおりである。
【０００８】
本発明は上記問題点を解決するもので、従来のダイヤル錠と比較し構造が頗る簡単であり、操作性が良いなど従来の欠点を解消できると共に、十分なる防犯機能,信頼性を備え、かつ利便性に優れたダイヤル錠を提供することを目的とする。
【課題を解決するための手段】
【０００９】
上記目的を達成するべく、請求項１に記載の発明の要旨は、外端部にダイヤルが固設されたダイヤル軸を設けて、該ダイヤル軸を表板に貫挿すると共に該ダイヤル軸の内端部に外形が非円形状又は非同心状に係合片を固着してなる錠本体と、該係合片と相対する位置に該係合片を通過させ得る係合孔が貫通状に形成された受部材と、を具備し、該受部材の係合孔に前記錠本体の係合片を貫通させ前記ダイヤル軸を回転することにより該係合片が該受部材内に係合し施錠されるようにし、また前記係合片上に弾発性を有し上方へ弾性付勢される弾性突起体を設けると共に前記受部材に前記弾性突起体の頭部が挿入され得る凹所と前記錠本体から該凹所へ貫通する小孔とを具備する係止手段を設けて、錠本体側から細径のピンで該小孔を通って凹所内に在る弾性突起体を弾性付勢に抗して下降させ得るようにしたことを特徴とするダイヤル錠にある。
【００１０】
請求項１のダイヤル錠のごとく、外端部にダイヤルが固設された複数本のダイヤル軸を互いに隣り合わせで平行なるように表板に貫挿すると共に、該各ダイヤル軸の内端部に外形が非円形状又は非同心状に係合片を固着してなる錠本体と、該係合片と相対する位置に略同形の係合孔が貫通状に形成された受部材と、を具備すると、複数の係合片が破壊されない限り、施錠状態が破られることはない。また、シリンダー錠のように鍵孔を有しないので、いわゆるピッキングの被害を受けるおそれがなく、且つ操作が良く、簡単な構造でありながらも防犯性能が高い。
ダイヤル軸に前記係合片を着脱可能に固着することで該ダイヤル軸と該係合片との相対的回転角度を変更可能なるようにすると、開錠操作をするのに必要なダイヤルの設定符号を適宜変更することができ、必要に応じてこの変更を行うことによりこのダイヤル錠の防犯性能がさらに高められる。
ダイヤル軸の妄動回転を防ぐ摩擦抵抗手段を設けると、隣り合うダイヤルを回転操作しているときに他方のダイヤルが無用に回転してしまうようなことなく、開錠のためのダイヤルの設定符号合わせ操作を容易にする。
係合片上に弾性突起体を設けると共に受部材に弾性突起体が挿入され得る凹所と錠本体から凹所へ貫通する小孔とを具備する係止手段を設けて、錠本体側から細径のピンで小孔を通って凹所内に在る弾性突起体を弾性付勢に抗して下降させ得るようにすると、係合片と係合孔の組合わせが一組であっても施錠機能を十分発揮できる。コンパクト化が可能で、デザイン的,外観が良好にしてハンドバッグ等のかばん類、袋物、宝石箱等の貴重品ケースなどのダイヤル錠に打ってつけとなる。
【発明の効果】
【００１１】
本発明のダイヤル錠方法は、構造が頗る簡単にして操作性が良好で、且つ小物のハンドバック等のかばん類,袋物などにも適用可能で、しかも十分なる防犯機能,信頼性を備えるなど優れた効果を発揮する。
【発明を実施するための最良の形態】
【００１２】
以下、本発明に係るダイヤル錠を図面に従い詳述する。
（１）実施形態１
図１〜図４は本ダイヤル錠の一形態で、引き戸に適用するものである。図１は錠本体及び受部材を前方から見た斜視図、図２は錠本体１の分解斜視図、図３はダイヤル錠を引き戸用戸板に取り付けたときの縦断面図、図４は図３のダイヤル錠の施錠時の縦断面図を示す。
【００１３】
錠本体１は略長方形状の表板２の一端縁に枢軸３を介して蝶番状に連なるように取付板４が回転自在に設けられる。符号４ａは該取付板に開設された取付孔である。また、符号５は該表板の表面を被い得る大きさの略長方形状に形成され、その基部を枢軸３の両端部に枢着することにより開閉可能に設けられたカバー部材を示す。該表板２には適宜間隔を離して一対の円形の透孔６ａ,６ｂが並設される。符号７ａ,７ｂは該表板２の表面の透孔６ａ,６ｂの中心より真直上方位置に表示された直線状の目盛合わせ用指針を示す。
【００１４】
また、符号８ａ,８ｂは円盤形のダイヤル、符号９ａ,９ｂは外端部に該ダイヤルが設けられたダイヤル軸で、該ダイヤルの外周縁部に３６０度を６０等分した目盛及び数字が表記されると共に、ダイヤル軸９ａ,９ｂの内端部外周にスプライン状に多数の係合溝１０ａ,１０ｂが形成される。符号１１はダイヤル８ａ,８ｂの前面の偏心位置に形成された半球状の窪みで、該窪みに指の先端を係合させることにより該ダイヤルを回転操作し易いようにしている。また、符号１２ａ,１２ｂはシート状のフエルトを環状に切断してなる摩擦抵抗体(摩擦抵抗手段)で、図３に示されるように該摩擦抵抗体１２ａ,１２ｂにダイヤル軸９ａ,９ｂを串通すると共に該ダイヤル軸９ａ,９ｂを互いに隣り合わせで平行なるようにして表板２の透孔６ａ,６ｂに貫挿することにより、表板２とダイヤル８ａ,８ｂの間に該摩擦抵抗体１２ａ,１２ｂが挟着され、該摩擦抵抗体によって該ダイヤル８ａ,８ｂを回転させる際に適度な摩擦抵抗が与えられる構造としている。
【００１５】
符号１４ａ,１４ｂは各ダイヤル軸９ａ,９ｂの内端部に固着される外形が非円形状又は非同心状の係合片を示す。ここでの係合片１４ａ,１４ｂは外形が長方形した横長の板状体に形成され、その中心部に取付用ボス１５ａ,１５ｂが一体に形成されている。該取付用ボス１５ａ,１５ｂは筒状に形成され、その内周面に前記係合溝１０ａ,１０ｂと噛合し得るよう同ピッチで多数の係合溝１６ａ,１６ｂが形成されている。そして、該取付用ボス１５ａ,１５ｂ中にダイヤル軸９ａ,９ｂの内端部を嵌合し該係合溝同士１０ａ,１６ａ(或いは１０ｂ,１６ｂ)を噛合させると共に、取付螺子１７ａ,１７ｂを該ダイヤル軸９ａ,９ｂの内端面に螺入締結することにより該係合片１４ａ,１４ｂを該表板２の裏側から該ダイヤル軸９ａ,９ｂの内端部に固着させる。なお、符号１３ａ,１３ｂは前記摩擦抵抗体１２ａ,１２ｂと同じくシート状のフエルトを環状に切断してなる摩擦抵抗体(摩擦抵抗手段)で、該摩擦抵抗体は図３のごとく表板２の裏面と取付用ボス１５ａ,１５ｂとの間に挟着される。摩擦抵抗体１２ａ,１２ｂ,１３ａ,１３ｂはフェルトの他、不織布やプラスチックフォーム,ラバーフォーム等の発泡体シート状片を圧縮状態にし反発力を保有させて用いることもできる。
【００１６】
一方、受部材２０は前記錠本体１に対する受け手側部材で、係合片１４ａ,１４ｂと相対する位置に該係合片を通過させ得る横長の係合孔２１ａ,２１ｂが貫通状に形成される。本実施形態の受部材２０は図１に示されるように前記表板２と略同様の長方形板状体で、金属製板体をプレス加工により外周縁部を残して中央に前方膨部２０ａが形成される皿状体とし、該前方膨部２０ａに前記係合片１４ａ,１４ｂと相対する位置に同形の長方形の係合孔２１ａ,２１ｂが貫通状に形成される。本ダイヤル錠が被施錠物に取着された状態下、前方膨部２０ａの係合孔２１ａ,２１ｂに前記係合片１４ａ,１４ｂを嵌め合わせるようにして挿通させると、該係合片は前方膨部２０ａの膨らみで形成された皿状体の空所Ｓ内に入り込む(図３の鎖線)。図３中、符号２５１は戸板２５に設けた取付螺子１７ａ,１７ｂ用の凹部を示す。ここでの係合孔２１ａ,２１ｂは係合片１４ａ,１４ｂより若干大きめの相似形の長方形の通孔とする。なお、該受部材２０の周縁部には取付孔２２が形成される。
【００１７】
しかしてこのダイヤル錠は、引き戸に取り付ける場合、図３に示すように、柱２３の内側に取付板４をその取付孔４ａに螺子２４を貫挿することにより固着すると共に、引き戸用戸板２５の前面に受部材２０を螺子２６をその取付孔２２に貫挿することにより固着する。そして、戸板２５を閉めた状態にて図３の鎖線に示すように係合片１４ａ,１４ｂを係合孔２１ａ,２１ｂに貫通させ、しかる後、ダイヤル８ａ,８ｂを所定角度だけ回転する(図４)。これにより該係合片１４ａ,１４ｂが該受部材２０内に係合し施錠される。横長の係合片１４ａ,１４ｂの少なくとも両端部が係合孔周りの受部材２０に係る空所側内壁２０ａ１,２０ｂ１に係合して(図８参照)、係合片１４ａ,１４ｂの係合孔２１ａ,２１ｂからの抜脱を不能にする。なお、カバー部材５は施錠時に閉じることにより錠本体１の前面を保護する。
【００１８】
一方、開錠するに際しては、カバー部材５を開けてダイヤル８ａ,８ｂを回転操作し、目盛合わせ用指針７ａ,７ｂに該各ダイヤルの予め決められた数字,目盛（以下、設定符号という）を合わせることにより、係合片１４ａ,１４ｂを所定の回転状態とすることで該各係合片１４ａ,１４ｂを係合孔２１ａ,２１ｂに合致位置させる。係合孔２１ａ,２１ｂが係合片１４ａ,１４ｂよりも若干大きめの相似形にあるため、図３の鎖線に示すごとく係合片１４ａ,１４ｂの長端１４ａ１,１４ｂ１を係合孔２１ａ,２１ｂの長孔端２１ａ１,２１ｂ１の部位に一致させることで各係合片１４ａ,１４ｂが係合孔２１ａ,２１ｂから抜き出され、錠本体１を受部材２０から離脱させることができ戸板２５を開けられるようになる。なお、ダイヤル８ａ,８ｂは隣同士に並設され適宜間隔に設定できるので、回転操作し易く、特許文献２,３のようにダイヤルが接近することによる操作性の不具合は解消されると共に、摩擦抵抗体１２ａ,１２ｂ,１３ａ,１３ｂの作用によりその妄動回転が防がれ、無用に回転してしまうことがなく設定符号に合わせ易い。また、ダイヤル操作によりカチカチといったような操作音がしないので、従来のように音変化を検知して錠破りが行われるような虞れもない。
【００１９】
またこのダイヤル錠では、２つのダイヤル８ａ,８ｂを回転操作し、係合片１４ａ,１４ｂを共に係合孔２１ａ,２１ｂと合致させないと、錠本体１を受部材２０とを離脱させることができないので、ダイヤル８ａ,８ｂに６０等分した目盛が表記されている場合、６０×６０＝３６００通りの数字が設定でき、この設定符号を予め知らない限り容易に開錠することはできない。
【００２０】
また上記設定符号は、ダイヤル軸９ａ,９ｂと係合片１４ａ,１４ｂとの嵌合位置関係、即ち、相対的回転角度に依るので、取付螺子１７ａ,１７ｂを外し、ダイヤル軸９ａ,９ｂを取付用ボス１５ａ,１５ｂ中から一旦抜いて、係合溝１６ａ,１６ｂと係合溝１０ａ,１０ｂとが新たな係合位置関係にて噛合するように貫挿し直すことにより、設定符号を簡単に変更することができる。このためこの変更によって防犯性能が高められ、錠としての信頼性が一層高いものとなる。なお、本実施形態では互いに噛合するスプライン状の係合溝を形成したが、ダイヤル軸９ａ,９ｂの内端部外周面を多角形状にし、取付用ボス１５ａ,１５ｂに該多角形状に合致する多角形状の透孔を形成することによっても、ダイヤル軸９ａ,９ｂと係合片１４ａ,１４ｂとの相対的回転角度を変更し得る。
【００２１】
このように本ダイヤル錠は、複数の係合片が係合孔に係合することにより施錠されることから、施錠状態では該係合部がすべて破壊されない限り、施錠状態が破られることがなく、簡単な構造であるにも拘わらず防犯性能,信頼性は高い。施錠時には錠本体１の取付螺子２４は戸板２４で塞がれ、また受部材２０の取付螺子２６は表板２で覆われ塞がれてしまうので(図４)、錠本体１,受部材２０を取り外して侵入されることもない。図４で表板４を上方へもう少し張り出せば螺子２６は完璧に覆われ万全となる。加えて、係合片１４ａ,１４ｂを横長の板状体とすると共にこの板状体中央をダイヤル軸９ａ,９ｂの回転軸にし且つ該係合片を通過させ得る略同形の横長の係合孔２１ａ,２１ｂを設けているので、施錠される係合孔２１ａ,２１ｂの両側に位置する受部材２０の空所側裏面に係合片１４ａ,１４ｂが係止され、各係合片の両側部分でロックがかかるので確実に施錠がなされる。係合片１４ａ,１４ｂの片端部だけが係止されるといった片持ちにならないので施錠状態が頑丈にして盗人がこじ開けることが困難な構造になっている。本実施形態に示す係合片１４ａ,１４ｂは外形を長方形とし、係合孔２１ａ,２１ｂはこれと同形である長方形にしたが、係合片１４ａ,１４ｂと係合孔２１ａ,２１ｂとは、該係合片を回転することにより係合孔内に貫通し得る形状であれば、長方形でなくても多角形,切欠円形等としても、或いは円形状としてもダイヤル軸９ａ,９ｂに対して偏心状に設けるなど非同心状に固着しさえすれば、その他の形状とすることができる。
また、ステンレス鋼,焼入鋼,チタン合金,セラミックス等の硬質耐熱性材料により、上記表板２,係合片１４ａ,１４ｂ,受部材２０等を構成することにより、ドリル,ガスバーナー等を使用する破壊に対する備えは一層強固なものとなる。
【００２２】
また本実施形態では、一対のダイヤル,係合片を並設したものを説明したが、３つ以上のダイヤル,係合片を設けることにより、設定符号をさらに多数桁の複雑なものにできることから、設定符号を知らない限り開錠することは一層困難となり、シリンダー錠のようなピッキングの被害を受けるおそれもないことと相俟って、このダイヤル錠の信頼性,防犯性をさらに高めることができる。
【００２３】
（２）実施形態２
本実施形態は図５〜図９のごとくハンドバッグ等のかばん類に適用したダイヤル錠である。図５はダイヤル錠をハンドバッグに設けたときの斜視図、図６は錠本体及び受部材の断面図、図７は受部材の係合孔に前記錠本体の係合片を合わせ貫通させた状態の一部断面平面図、図８は図７の状態からダイヤル軸を回転することにより該係合片が該受部材内に係合し施錠される状態にした一部断面平面図、図９は図８のI-I線矢視図を示す。尚、図７,図８では取付用ボス,係合溝の図示を省略する。
【００２４】
本実施形態のダイヤル錠では、開閉自在に設けられたハンドバッグのカバー部３０の前面に錠本体１を固着すると共に、カバン本体３１の前面に受部材２０を固着する。該受部材の係合孔２１ａ,２１ｂ内に錠本体１の前記係合片１４ａ,１４ｂを貫通し、該受部材２０に係る空所Ｓ側の裏面で係合孔２１の周りに係合,係止させるようにして施錠する一方、ダイヤル８ａ,８ｂを所定の設定符号に回転操作することで開錠し得るダイヤル錠になっている。
【００２５】
係合片１４ａ,１４ｂを横長の小判形にする一方、係合孔２１ａ,２１ｂは該係合片が通過し得る横幅を有する横長孔として(図７)、ダイヤル操作で係合片１４ａ,１４ｂを係合孔２１ａ,２１ｂに合わせないと該係合片が該係合孔を貫通できなくしている。図６の係合片１４ｂはその長端１４ｂ１が係合孔の長孔端２１ｂ１の部位に一致するが、係合片１４ａは係合孔２１ａと不一致状態にある。ダイヤル操作で図７の状態にして係合片１４ａが係合孔２１ａを通過する。係合孔２１ａ,２１ｂを貫通した係合片１４ａ,１４ｂはダイヤル軸９ａ,９ｂを数度ほど回転するだけで該係合片の両端部が受部材２０内に係合し施錠される(図８)。係合孔２１ａ,２１ｂ回りの膨部裏面２０ａ１,２０ｂ１に係合片１４ａ,１４ｂが係止されて、該係合片を係合孔２１ａ,２１ｂから抜脱不能にする。ここでの受部材２０は厚肉の金属加工品で、受部材２０の底面から突設するピン２０１をかばん本体３１に設けた取付孔３１１に通し、リベット止め２０２することによって、該受部材がかばん本体３１に固着される。受部材２０の係合孔２１ａ,２１ｂの周りには中空楕円盤状の膨部２０ａ,２０ｂが形成され、かばん本体３１に取り付けられた受部材２０には係合孔２１ａ,２１ｂを貫通した係合片１４ａ,１４ｂがダイアル軸９ａ,９ｂの回転操作によって回転できる空所Ｓが形成される。取付け螺子１７ａ,１７ｂは皿螺子にして、ダイヤル軸９ａ,９ｂの内端部に係合片１４ａ,１４ｂを固着したとき該係合片の底面と略面一にする。他の構成は実施形態１と同様でその説明を省く。実施形態１と同一符号は同一又は相当部分を示す。ダイヤル８ａ,８ｂの表面中央にブランド,ロゴマーク等が適宜表示される。
【００２６】
このように、本ダイヤル錠は、簡単な構成であることからコンパクト化が図れ、低コスト製造することができ、加えて信頼性も高いのでハンドバッグ,カバン,宝石箱等の身の回り品の錠として使用するのに極めて適している。ハンドバッグなどではダイヤル錠が小型化するが、小型化しても操作性に優れる。施錠状態下において、係合孔２１ａ,２１ｂの両側の膨部裏面２０ａ１,２０ｂ１に係合片１４ａ,１４ｂが係止されてロックがかかるので、小型化しても頑強にして錠として十分機能を発揮する。他の効果は実施形態１と同様でその説明を省く。
【００２７】
（３）実施形態３
本実施形態は図１０〜図１２のごとくハンドバッグ等のかばん類に適用したダイヤル錠である。図１０は受部材の係合孔に前記錠本体１の係合片を貫通させた後、ダイヤル軸を所定角度回転することにより該係合片が該受部材内に係合し施錠される状態とした一部断面平面図、図１１は図１０のII-II線矢視図、図１２は係止機構の拡大図を示す。
【００２８】
本実施形態は、外端部にダイヤル８ａが固設されたダイヤル軸９ａを一つ設けて、該ダイヤル軸９ａを表板２に貫挿すると共に該ダイヤル軸の内端部に小判形状した係合片１４ａを固着した錠本体１とする。そして、該係合片と相対する位置に該係合片を通過させ得る係合孔２１ａが貫通状に形成された受部材２０を備え、該受部材の係合孔２１ａに前記係合片１４ａを貫通させダイヤル軸９ａを所定角度(数度で足りる)だけ回転することにより係合片１４ａが受部材２０内に係合し施錠されるようにする。係合孔２１ａは係合片１４ａの平面視大きさよりも若干大きめで該係合片と略同形にして、開錠する際のダイヤル操作の位置合わせに高い精度が要求されるよう設定する。さらに、前記係合片１４ａ上に弾発性を有し上方へ弾性付勢される弾性突起体８を設け、前記受部材２０に弾性突起体８の頭部８３が挿入され得る凹所９４２と錠本体１から該凹所へ貫通する小孔９とを具備する係止手段を設けて、錠本体１側から細径のピンで該小孔を通って凹所９４２内に在る弾性突起体８を弾性付勢に抗して下降させ得るダイヤル錠とする。
【００２９】
本実施形態のダイヤル錠は実施形態２で外端部にダイヤル８ａが固設されたダイヤル軸９ａを一個設けたダイヤル錠とし、該ダイヤル軸を表板２に貫挿すると共に、該ダイヤル軸の内端部に外形が非円形状又は非同心状に係合片１４ａを固着したものとする一方、受部材２０も該係合片と相対する位置に該係合片を通過させ得る係合孔２１ａが一個貫通状に形成されたものとする。一個のダイヤル付きダイヤル軸９ａ,係合片１４ａに一個の係合孔２１ａが形成された錠本体１,受部材２０とする。一個の係合片１４ａと一個の係合孔２１ａしか形成されてない錠本体１と受部材２０であるため、実施形態１,２のように、ダイヤル８ａ,８ｂに６０等分した目盛を表記して６０×６０＝３６００通りの数字設定することができない。本実施形態では錠本体１と受部材２０を備え、さらに係止手段(係止装置)を設けて防犯機能が高められたダイヤル錠としている。
【００３０】
係止手段は図１２のごとく窪み部１４ａ５と弾性突起体８と凹所９４２と小孔９とを具備する。窪み部１４ａ５は係合片１４ａの上面で、弾性突起体８が設けられる部位を一段下げて形成される。該窪み部の底に弾性突起体８の底片８１が固着される。弾性突起体８は底片８１の中央に立棒８２が立設し、該立棒の頂部に半球状に丸くした椀状体の頭部８３が一体化する。立棒８２は下部の軸棒８２ａに上部の円筒体８２ｂが上下動可能に嵌挿してなり、該円筒体が最大高さを超えて軸部から外れないようその下端にストッパを形成する。立棒８２には底片８１と前記頭部８３の間に圧縮コイルバネ８４を介装し、係合片１４ａ上に設けた窪み部１４ａ５に底片８１を固着することによって頭部８３がコイルバネ８４の弾発性によって係合片１４ａよりも上方へ弾性付勢されるようにしている。
【００３１】
凹所９４２は受部材２０の膨部の空所側内上壁に設けられる前記頭部８３に対応する大きさの凹みである。凹所９４２は例えば図１０のごとく係合孔２１ａに錠本体１の係合片１４ａを貫通させダイヤル軸９ａを約９０度回転させた位置に設けたダイヤル孔９１の下方に該ダイヤル孔と孔芯を一致させて空所側(下方側)に開口がある拡径穴とする。係合孔２１ａに錠本体１の係合片１４ａを貫通させた後、弾性突起体８の頭部８３を押し沈めてダイヤル軸９ａを回していくと凹所９４２の所で頭部８３がコイルバネ８４の弾性付勢力に押されて上動し該凹所内に挿入する。この挿入によって係合片１４ａはその回転が規制され受部材２０が係止状態となる。凹所９４２への弾性突起体８の挿入による係止は、錠本体１から該凹所へ貫通する小孔９を利用して解除できる。該小孔は錠本体１の前記ダイヤル孔９１と、表板２に設けた表板孔９２と、カバー部３０に設けたカバー部孔９３と、受部材２０の上面から凹所９４２へ貫通する小孔部９４１とが縦通し得る細い孔の連なりで形成されたものである。ダイヤル軸９ａを回していき、ダイヤル孔９１が図１０の位置に配されたときに、ダイヤル８ａ,ダイヤル軸９ａはロックがかかって動かなくなる。しかるに、錠本体１側から細径のピンで該小孔を通って凹所９４２内に在る弾性突起体８を弾性付勢に抗して下降させることで、前記受部材２０に係止状態にある係合片１４ａを解除し、ダイヤル軸９ａを回動可能にして開錠できるようになっている。
他の構成は実施形態２と同様でその説明を省く。実施形態２と同一符号は同一又は相当部分を示す。
【００３２】
このように構成したダイヤル錠は、ダイヤル８ａ,係合片１４ａ及び係合孔２１ａが各一つだけになるので、ハンドバッグ等のかばん類や宝石箱等の小物類でも場所をとらず、装飾効果を一段と高めた見栄えあるダイヤル錠とすることができる。係合片１４ａ,係合片１４ａが一つになることによる施錠としての機能低下は弾性突起体８と凹所９４２と小孔９を設けることによって改善される。錠本体１と受部材２０によるダイヤル錠の作用,効果は実施形態２の係合片付きダイヤル軸９ａと係合孔２１ａの一組分にとどまるが、ダイヤル軸９ａを回し凹所９４２に弾性突起体８の頭部挿入することによって、係止ロックをかけ施錠機能を十分発揮できる。開錠する際は、錠本体１側から細径のピン先でダイヤル孔９１,表板孔９２,カバー部孔９３,小孔部９４１を通って弾性突起体８の頭部を突き、該頭部を弾性付勢力に抗して沈めて、次いで、ダイヤル軸９ａを係合片１４ａが係合孔２１ａに一致する所に回した後、カバー部３０を持ち上げる。かくしてカバー部３０がかばん本体３１から解除でき開錠される。
【００３３】
尚、本発明においては、前記実施形態,実施例に示すものに限ることなく、目的,用途に応じて本発明の範囲で種々変更できる。錠本体１,表板２,ダイヤル８ａ,８ｂ,ダイヤル軸９ａ,９ｂ,係合片１４ａ,１４ｂ,係合孔２１ａ,２１ｂ等の形状,大きさ,個数,材質等は用途等に合わせて適宜選択できる。例えば、実施形態１,２では２つのダイヤル、２つの切欠円板を並設したものを説明したが、３つ以上の係合片１４,係合孔２１を並設したり、設定符号をさらに多数桁の複雑なものにできる。そうすると、設定符号を知らない限り開錠することは一層困難となりダイヤル錠の信頼性,防犯性はさらに高められる。
【図面の簡単な説明】
【００３４】
【図１】実施形態１に示すダイヤル錠の錠本体及び受部材の斜視図である。
【図２】図１に示すダイヤル錠の錠本体の分解斜視図である。
【図３】図１に示すダイヤル錠を引き戸に取り付けたときの縦断面図である。
【図４】図３のダイヤル錠の施錠時の縦断面図である。
【図５】実施形態２に示すダイヤル錠で、該ダイヤル錠をハンドバッグに設けたときの斜視図である。
【図６】錠本体及び受部材の断面図である。
【図７】受部材の係合孔に前記錠本体の係合片を合わせ貫通させた状態の一部断面平面図である。
【図８】図７の状態から係合片が受部材内に係合し施錠される状態にした一部断面平面図である。
【図９】図８のI-I線矢視図である。
【図１０】実施形態３のダイヤル錠で、係合孔に係合片を貫通後、ダイヤル軸を回転し施錠状態とした一部断面平面である。
【図１１】は図１０のII-II線矢視図である。
【図１２】係止機構の拡大図である。
【符号の説明】
【００３５】
１                        錠本体
２                        表板
８ａ，８ｂ                ダイヤル
９ａ，９ｂ                ダイヤル軸
１２ａ，１２ｂ，１３ａ，１３ｂ    摩擦抵抗体(摩擦抵抗手段)
１４ａ，１４ｂ            係合片
２０                      受部材
２１ａ，２１ｂ            係合孔
８                        弾性突起体
８３                      頭部
９                        小孔
９４２                    凹所
【要約】
【課題】  従来のダイヤル錠と比較し構造が頗る簡単であり、操作性がよいなど従来の欠点を解消できると共に、十分なる防犯機能,信頼性を備え、かつ利便性に優れたダイヤル錠を提供する。
【解決手段】  外端部にダイヤル８ａ,８ｂが固設されたダイヤル軸９ａ,９ｂを複数設け、それぞれのダイヤル軸を互いに隣り合わせで平行なるように表板２に貫挿すると共に、該各ダイヤル軸の内端部に外形が非円形状又は非同心状に係合片１４ａ,１４ｂを固着してなる錠本体１と、該係合片と相対する位置に該係合片を通過させ得る係合孔１４ａ,１４ｂが貫通状に形成された受部材２０と、を具備し、該受部材の係合孔１４ａ,１４ｂに前記錠本体１の係合片１４ａ,１４ｂを貫通させ前記ダイヤル軸９ａ,９ｂを回転することにより該係合片が該受部材内に係合し施錠されるようにした。
【選択図】  図１
【図１】
0003712725.tif 000002
【図２】
0003712725.tif 000003
【図３】
0003712725.tif 000004
【図４】
0003712725.tif 000005
【図５】
0003712725.tif 000006
【図６】
0003712725.tif 000007
【図７】
0003712725.tif 000008
【図８】
0003712725.tif 000009
【図９】
0003712725.tif 000010
【図１０】
0003712725.tif 000011
【図１１】
0003712725.tif 000012
【図１２】
0003712725.tif 000013